(57)【要約】  本発明は、穿孔部を支持するように適合され、ヘッド部と該ヘッド部から延在している主要部とを有する穿孔支持部材を含んでいる、パンチング装置のための付勢組立体に関する。主要部は凹状面を有している。保持部材は、穿孔支持部材が保持部材に対して滑動可能な状態で穿孔支持部材に結合されている。結合部材は、穿孔支持部材の主要部と保持部材との間に配置されている。結合部材の一部は凹状面と係合している。付勢部材は、穿孔支持部材のヘッド部と保持部材との間に支持されている。穿孔支持部材は、結合部材に対して少なくとも第１の位置と第２の位置との間で移動可能とされる。
2008513222.tif 000002
【特許請求の範囲】
【請求項１】
穿孔部を支持するように適合され、ヘッド部と該ヘッド部から延在し凹状面を有した主要部とを含んでいる穿孔支持部材と、
前記穿孔支持部材が保持部材に対して滑動可能な状態で前記穿孔支持部材に結合されている前記保持部材と、
前記穿孔支持部材の前記主要部と前記保持部材との間に配置され、その一部は前記凹状面と係合している結合部材と、
前記穿孔支持部材の前記ヘッド部と前記保持部材との間で支持されている付勢部材と、
を備え、
前記穿孔支持部材が前記結合部材に対して少なくとも第１の位置と第２の位置との間で移動可能とされることを特徴とする、パンチング装置のための付勢組立体。
【請求項２】
前記保持部材は、前記穿孔支持部材の前記主要部を囲んでいるカラーであることを特徴とする請求項１に記載の付勢組立体。
【請求項３】
前記穿孔支持部材の前記主要部は内部ボアを含み、前記穿孔部が該内部ボアに受容されていることを特徴とする請求項１に記載の付勢組立体。
【請求項４】
前記保持部材は、前記結合部材を受容する内部溝部を含んでいることを特徴とする請求項１に記載の付勢組立体。
【請求項５】
前記穿孔支持部材は一体的な単一部材であることを特徴とする請求項１に記載の付勢組立体。
【請求項６】
前記凹状面は、前記穿孔支持部材の前記主要部の外縁周辺で実質的に延在していることを特徴とする請求項１に記載の付勢組立体。
【請求項７】
前記結合部材は、前記保持部材に対して固定されていることを特徴とする請求項１に記載の付勢組立体。
【請求項８】
前記結合部材は、略環状とされることを特徴とする請求項１に記載の付勢組立体。
【請求項９】
前記付勢部材は、圧縮スプリングとされることを特徴とする請求項１に記載の付勢組立体。
【請求項１０】
前記穿孔支持部材は、前記穿孔部を係合するために内部ネジ部を含んでいることを特徴とする請求項１に記載の付勢組立体。
【請求項１１】
前記主要部は略管状とされ、前記ヘッド部は略ディスク状とされ、前記主要部及び前記ヘッド部は連続的な内部ボアを有していることを特徴とする請求項１に記載の付勢組立体。
【請求項１２】
穿孔部を支持するように適合され、ヘッド部と該ヘッド部から延在し凹状面を有している主要部とを含んでいる穿孔支持部材であって、前記穿孔部を受容するように適合されている内部ボアを含んでいる前記穿孔支持部材と、
前記穿孔支持部材がカラーに対して滑動可能な状態で前記穿孔支持部材に結合されている前記カラーと、
前記穿孔支持部材の前記主要部と前記カラーとの間に配置され、前記凹状面と係合している環状クリップと、
前記穿孔支持部材の前記ヘッド部と前記カラーとの間で支持されているスプリングと、
を備え、
前記穿孔支持部材が前記結合部材に対して少なくとも第１の位置と第２の位置との間で移動可能とされることを特徴とする、パンチング装置のための付勢組立体。
【請求項１３】
前記カラーは、前記クリップを受容する放射状の内部溝部を含んでいることを特徴とする請求項１２に記載の付勢組立体。
【請求項１４】
前記カラーは、前記カラーの外縁から前記内部溝部に延在している通路を含み、前記クリップが前記通路を通じて前記内部溝部に挿入されていることを特徴とする請求項１３に記載の付勢組立体。
【請求項１５】
前記穿孔支持部材は、一体的な単一部材とされることを特徴とする請求項１２に記載の付勢組立体。
【請求項１６】
前記穿孔支持部材の前記主要部は外部停止面を含み、前記カラーは内部停止面を含み、前記内部停止面及び前記外部停止面は略平坦とされ互いに係合しており、これにより前記穿孔支持部材及び前記カラーの互いに対する回転を実質的に防止していることを特徴とする請求項１２に記載の付勢組立体。
【請求項１７】
前記穿孔部は、前記穿孔支持部材の前記内部ボアと螺合可能に係合していることを特徴とする請求項１２に記載の付勢組立体。
【請求項１８】
前記凹状面は、前記穿孔支持部材の前記主要部の外縁周囲に延在し、前記クリップは前記凹状面と係合していることを特徴とする請求項１２に記載の付勢組立体。
【請求項１９】
前記主要部は略管状とされ、前記ヘッドは略ディスク状とされ、前記主要部及び前記ヘッド部は連続的な内部ボアを有していることを特徴とする請求項１２に記載の付勢組立体。
【請求項２０】
前記スプリングは前記穿孔支持部材の前記ヘッド部及び前記カラーに当接していることを特徴とする請求項１２に記載の付勢組立体。
【発明の詳細な説明】
【技術分野】
【０００１】
本発明は、容易に穿孔部の調整可能とし、該穿孔部の取り外し後でさえも組み立てられた状態を維持するパンチング装置で利用するための付勢組立体に関する。
【背景技術】
【０００２】
従来の高速度パンチング装置では、穿孔部の切断端部は、所定期間の利用後に研削することによって研ぐことを必要とされる。しかしながら、研削をすると、穿孔部は短くなる。研削後に適切且つ確実に位置決めするためには、穿孔部を再調整しなくてはならない。従来のパンチング装置は、穿孔部を研削し調整するためにスプリング組立体を完全に分解することを必要とする場合があった。スプリング組立体の分解は時間を要し、専用工具を利用しなければならない場合があった。さらには、従来のパンチング装置のスプリング組立体は、組み立てるためにさらなる労働力を必要とする多くの部品を含んでいる。
【０００３】
従来のパンチング装置の例として、Weibeckの特許文献１及び特許文献２と、Wilsonの特許文献３と、Barthaの特許文献４と、Koelschの特許文献５とが挙げられる。各特許文献の主旨（subject matter）は参照によって本明細書に組み込まれている。
【特許文献１】米国特許第４，４４０，０５２号明細書
【特許文献２】米国特許第４，１４１，２６４号明細書
【特許文献３】米国特許第４，０９２，８８８号明細書
【特許文献４】米国特許第３，９５８，４７６号明細書
【特許文献５】米国特許第９３９，９５８号明細書
【発明の開示】
【発明が解決しようとする課題】
【０００４】
従って、本発明の目的は、穿孔部を取り外した際に組み立てられた状態のままであるパンチング装置についての付勢組立体を提供することである。
【０００５】
本発明のもう一つの目的は、穿孔部を研削した後、穿孔部を容易に調整可能とされるパンチング装置についての付勢組立体を提供することである。
【０００６】
本発明のさらにもう一つの目的は、最小量の部品を必要とするパンチング装置についての付勢組立体を提供することである。
【課題を解決するための手段】
【０００７】
上述の目的は、穿孔部を支持するように適合され、ヘッド部と該ヘッド部から延在している主要部とを有する穿孔支持部材を含んでいる、パンチング装置のための付勢組立体によって達成される。主要部は凹状面を有している。保持部材は、穿孔支持部材が保持部材に対して滑動可能な状態で穿孔支持部材に結合されている。結合部材は、穿孔支持部材の主要部と保持部材との間に配置されている。結合部材の一部は凹状面と係合している。付勢部材は、穿孔支持部材のヘッド部と保持部材との間に支持されている。穿孔支持部材は、結合部材に対して少なくとも第１の位置と第２の位置との間で移動可能とされている。
【０００８】
上述の目的は、穿孔部を支持するように適合され、ヘッド部と該ヘッド部から延在している主要部とを有し、さらに凹状面を有している穿孔支持部材を含んでいる、パンチング装置のための付勢組立体によっても達成される。穿孔支持部材は、穿孔部を受容するように適合された内部ボアを含んでいる。カラーは、穿孔支持部材が該カラーに対して滑動可能な状態で凱旋光支持部材に結合されている。環状クリップは、穿孔支持部材の主要部とカラーとの間に配置されている。クリップは凹状面と係合している。スプリングは、穿孔支持部材の主要部とカラーとの間に支持されている。穿孔支持部材は、結合部材に対して少なくとも第１の位置と第２の位置との間で移動可能とされている。
【０００９】
本発明の他の目的、利点、及び特徴は、添付図面と連携して本発明の好ましい実施例を記載した、以下に示す発明の詳細な説明から明らかになる。
【００１０】
添付図面と共に詳細な説明を参照することによって本発明の理解が深まると同時に、本発明の正当な評価及びこれに伴う多くの利点を容易に理解することができるだろう。
【発明を実施するための最良の形態】
【００１１】
図１〜図６を参照すると、例えばタレットパンチプレスのようなパンチング装置１０は、一般に例えばシートメタルのようなワークピース１４を穿孔するために穿孔部１２、穿孔案内部１６、及び穿孔部１２の直線運動を補助する付勢組立体１８を含んでいる。穿孔部１２は、付勢組立体の構成部品を分解することなく付勢組立体１８から取り外し可能とされ、再度付勢組立体１８に取り付け可能とされる。このことによって、例えば穿孔部１２の研削を必要とする場合に、容易に穿孔部１２を取り外して調整することができる。
【００１２】
図１〜図３を参照すると、本発明における付勢組立体１８は最小限度の構成部品を含んでいる。特に付勢組立体１８は、穿孔支持部材２０、保持部材２２、穿孔支持部材２０と保持部材２２とを結合する結合部材２４、穿孔支持部材２０と保持部材２２との間に配置された付勢部材２６を含んでいる。カバースリーブ２８は、付勢部材２６をカバーするように設けられている場合があるが、必ずしも必要という訳ではない。
【００１３】
穿孔支持部材２０は、ヘッド部３０及び該ヘッド部から延在し、略Ｔ字状部材を形成する主要部３２を含んでいる。略連続的な内部ボア（inner bore）３４は、穿孔支持部材２０の第１の端部３６と第２の端部３８との間で穿孔支持部材２０を通じて延在している。ヘッド部３０及び主要部３２は、一体的な単一部材を形成するか、任意の既知の方法で取り付けられた独立した部品とされる場合がある。ヘッド部３０は略ディスク状とされ、ローレット付外面４０を含んでいる。図１及び図２を参照すると、ヘッド部３０は、付勢組立体１８を圧縮し穿孔部１２を直線的に移動させるために、主要部３２の反対側にパンチング装置１０のストライカ４４と係合する露出面４２を含んでいる。付勢部材２６と係合する係合面４６は、ヘッド部３０の露出面４２の反対側に位置している。ヘッド部の開口部４８は、穿孔支持部材２０の第１の端部３６で内部ボア３４と連続している。
【００１４】
穿孔支持部材２０の主要部３２は、端部開口部５０が内部ボア３４と連続している状態で略管状とされる。主要部３２の外面５２は、図３〜図５に表わされるように、主要部３２の周囲に延在し、第１の肩部５６と第２の肩部５８との間に形成されている凹状領域５４を含んでいる。外面５２は、図３に表わされるように、略平坦な停止領域６０も含んでいる。
【００１５】
図１〜図３に表わされるように、保持部材２２は、主要保持部６４と、主要保持部６４の両側面から延在している第１の延長部６６及び第２の延長部６８と、主要保持部６４、第１の延長部６６、及び第２の延長部６８を通じて延在している略連続的な内部ボア７０（図６を参照）とを有するカラー状（a collar shape）である。主要保持部６４は、図４に表わすように、第１の延長部６６及び第２の延長部６８よりも幅広であり、付勢部材２６と係合するために第１の延長部６６に面した係合面７２と、第２の延長部６８に面し、前記係合面と反対側に位置する案内係合面７４とを含んでいる。主要保持部６４は、穿孔案内部１６のピン（図示しない）を受容し、案内係合面７４で穿孔案内部１６に当接し、これにより保持部材２２を穿孔案内部１６に取り付けることが望ましい。しかしながら、保持部材２２は、既知の方法で穿孔案内部１６に取り付けられていても良い。主要保持部６４の放射状の内部溝７６が、図４及び図５に表わすように、結合部材２４を受容するために内部ボア７０によって形成される内面７８に形成されている。
【００１６】
図６に表わすように、通路８０は主要保持部６４の外面８２から内部溝７６に延在している。点検用窓（access opening）８４は、図３に表わすように、結合部材２４を通路８０及び内部溝７６に挿入するために外面８２に設けられている。図３に表わすように、主要保持部６４の第１の延長部６６は、保持部材２２及び穿孔支持部材２０の互いに対する回転を防止し、保持部材２２と穿孔支持部材２０との間で確実にロックするために、穿孔支持部材２０の停止領域６０と共に協働する略平坦な停止領域８６（図６を参照）を含んでいる。
【００１７】
図３に表わすように、結合部材２４は、結合部材２４自体を保持部材２２に取り付け可能な切欠区間８８を有した略環状のクリップとされる場合がある。結合部材２４は、金属ワイヤから成るが、任意の弾性材料から形成されても良い。付勢部材２６は、図３に表わすように圧縮スプリングや任意の付勢構造体であっても良い。
【００１８】
［組立及び動作］
図１〜図６を参照すると、本発明におけるパンチング装置の付勢組立体１８は、穿孔支持部材２０の主要部３２を囲むようにヘッド部３０と保持部材２２の主要保持部６４との間に付勢部材２６を配置することによって組み立てられる。穿孔支持部材２０の主要部３２は、付勢部材２６がヘッド部３０の係合面４６及び主要保持部６４の係合面７２に当接した状態で、保持部材２２の内部ボア７０を通じて滑動可能に挿通されている。
【００１９】
結合部材２４は、主要保持部６４の点検用窓８４を通じて通路８０及び保持部材２２の内部溝７６に挿通されている。結合部材２４の一部は、図４及び図５に最も良く表わされているように、肩部５６，５８の間で穿孔支持部材２０の主要部３２の凹状領域５４に配置されている。図４に表わすように、結合部材２４は凹状領域５４の第１の肩部５６に当接し、これにより穿孔支持部材２０及び保持部材２２の組立が解除されることを実質的に防止している。付勢部材２６は、穿孔支持部材２０及び保持部材２２の両方に力を作用させる。穿孔支持部材２０の主要部３２の停止面６０及び保持部材２２の第１の延長部６６の停止面８６は互いに係合している。停止面６０，８６は共に略平坦であるので、穿孔支持部材２０及び保持部材２２が互いに対して回転することは防止され、これにより２つの部材間を確実にロックする。穿孔支持部材２０及び保持部材２２をロックするために、例えば一組のネジのような固定装置を追加する必要がなく、それ自体で十分である。カバースリーブ２８は付勢部材２６を囲んでいる。
【００２０】
穿孔部１２は、図１及び図２に表わすように、穿孔部１２の第１の端部９０が穿孔支持部材２０のヘッド部３０近傍で内部ボア３４のネジ部９２と螺合可能に係合している状態で、穿孔支持部材２０の内部ボア３４及び保持部材２２の内部ボア７０に受容されている。穿孔部１２の反対側の第２の端部９４は、図２に表わすように、穿孔案内部１６を通じて延伸しワークピース１４を穿孔する。
【００２１】
付勢組立体１８及び穿孔案内部１６は、保持部材２２の主要保持部６４の案内係合面７４にガイド１６のピンを対応する穴（図示しない）を通じて挿入することによって接続されている。また、主要保持部６４の第２の延長部６８の周囲に配置されたＯリング９６は、穿孔案内部１６と付勢組立体１８とを接続するように機能する。特に、Ｏリング９６は、図１及び図２に表わすように穿孔案内部１６の溝部９８と係合している。しかしながら、任意の既知の取付装置（attachment）は、付勢組立体１８の保持部材２２と穿孔案内部１６とを結合するために利用されている。
【００２２】
図２に表わすように、ストライカ４４は、動作する際に穿孔支持部材２０のヘッド部３０の露出面４２と係合し、付勢部材２６を圧縮しており、これにより穿孔支持部材２０を穿孔案内部１６に向かって移動させると同時に、穿孔部１２の第２の端部９２がワークピース１４を穿孔する。付勢組立体１８が図５に表わすように圧縮された場合には、穿孔支持部材２０の凹状領域５４の第１の肩部５６は結合部材２４から離れるように移動し離間される。付勢部材２６は結合部材２４が凹状領域５４の第２の肩部５８に当接するまで圧縮される。一旦ワークピース１４が穿孔され、ストライカ４４が解放されると、結合部材２４が穿孔支持部材２０の第１の肩部５６に当接するまで、付勢部材２６は穿孔支持部材２０を穿孔案内部１６から離間するように移動して元に戻る。
【００２３】
穿孔部の第２の端部９４が摩耗して研削を必要とする場合には、穿孔部１２を付勢組立体１８から容易に取り外し交換可能とされる。このとき、穿孔支持部材２０、保持部材２２、及び付勢部材２６は組立状態を維持している。穿孔部１２は容易に穿孔支持部材２０との螺合を解除され、付勢組立体１８から取り外される。このときも、穿孔支持部材２０、保持部材２２、及び付勢部材２６は結合部材２４によって組立状態を維持している。穿孔部１２は研削され、再び付勢組立体１８に取り付けられる。このように、穿孔部１２は、研削によって自身の長さを短くする場合がある。穿孔支持部材２０の内部ボア３４のネジ部９２によって、穿孔部１２を容易に調整可能となり、穿孔部１２の長さを短くするという欠点を補っている。特に穿孔部１２は、穿孔部１２がワークピース１４に接触するか、又は該ワークピースの近傍に位置するように、内部ボア３４のネジ部９２に螺合している。穿孔部１２は、穿孔部１２が短くなるにつれて穿孔部１２と係合する内部ボア３４のネジ部９２が短くなるように穿孔部１２の第１の端部９０を内部ボア３４に螺合させることによって調整される。
【００２４】
特定の実施例が本発明を図解するために選択されているが、当業者であれば、様々な変化及び改良が特許請求の範囲に規定する発明の技術的範囲から逸脱することなく成されることに留意すべきである。
【図面の簡単な説明】
【００２５】
【図１】静止位置におけるパンチング装置の付勢組立体を表わす、本発明の実施例におけるパンチング装置の付勢組立体の側面断面図である。
【図２】圧縮位置における付勢組立体を表わす、図１に図示されたパンチング装置の付勢組立体の側面断面図である。
【図３】図１及び図２に表わす付勢組立体の分解斜視図である。
【図４】付勢組立体の穿孔支持部材に関する、所定位置における結合部材を表わす、図１に表わすパンチング装置の付勢組立体の拡大部分図である。
【図５】穿孔支持部材に関して他の位置における結合部材を表わす、図２に図示されたパンチング装置の付勢組立体の各大部分図である。
【図６】保持部材を通じて延在する通路を表わす、図１及び図２に図示された付勢組立体の保持部材の特定区間における上面図である。
【符号の説明】
【００２６】
１０  パンチング装置
１２  穿孔部
１４  ワークピース
１６  穿孔案内部
１８  付勢組立体
２０  穿孔支持部材
２２  保持部材
２４  結合部材
２６  付勢部材
３０  ヘッド部
３２  主要部
３４  内部ボア
３６  第１の端部
３８  第２の端部
４０  ローレット付外面
４２  露出面
４４  ストライカ
４６  係合面
４８  開口部
５４  凹状領域
５６  第１の肩部
５８  第２の肩部
６０  停止領域
６４  主要保持部
７６  内部溝
８０  通路
８２  外面
８４  点検用窓
８６  停止領域
９０  第１の端部
９２  ネジ部
９４  第２の端部
【図１】
2008513222.tif 000003
【図２】
2008513222.tif 000004
【図３】
2008513222.tif 000005
【図４】
2008513222.tif 000006
【図５】
2008513222.tif 000007
【図６】
2008513222.tif 000008
【国際調査報告】
2008513222.tif 000009